(57)【要約】【課題】  雨水を貯留して有効利用することができると共に貯留容量を超えた雨水を調整しつつ地中に浸透させることができる、雨水調整貯留浸透装置を配備した戸建住宅団地を得る。【解決手段】  戸建住宅団地を構成する各戸建住宅の庭に、下部槽が雨水を貯留するための雨水貯留部であり、上部槽が雨水貯留部の貯留容量を越えて流入した雨水を調整しつつ浸透孔より地中に浸透させるための雨水浸透部とした、雨水調整貯留浸透装置を埋設する。また、雨水浸透部の上部側に戸建住宅の屋根の雨樋を通して集められた雨水を雨水貯留部に流入させるための流入管を貫設し、該流入管の下部側に雨水浸透部の一定容量を超えて流入した雨水を外部の側溝に流出するための流出管を貫設する。更に、雨水調整貯留浸透装置の上面には雨水貯留部に貯留した雨水を外部に給水するための給水管を貫設し、該給水管と庭に設置した給水ポンプとを接続する。【選択図】  図１
2005105790.tif 000002
【特許請求の範囲】
【請求項１】
戸建住宅団地（１８）を構成する各戸建住宅（１）の庭（３）に、下部槽が雨水（１４）を貯留するための雨水貯留部（４ａ）であり、上部槽が雨水貯留部（４ａ）の貯留容量を越えて流入した雨水（１４）を調整しつつ浸透孔（１５）より地中に浸透させるための雨水浸透部（４ｂ）とした、雨水調整貯留浸透装置（４）を埋設したことを特徴とする、雨水調整貯留浸透装置を配備した戸建住宅団地。
【請求項２】
雨水調整貯留浸透装置（４）の雨水浸透部（４ｂ）の上部側に戸建住宅（１）の屋根の雨樋（２）を通して集められた雨水（１４）を雨水貯留部（４ａ）に流入させるための流入管（６）を貫設し、該流入管（６）の下部側に雨水浸透部（４ｂ）の一定容量を超えて流入した雨水（１４）を外部の側溝（８）に流出するための流出管（７）を貫設し、更に、雨水調整貯留浸透装置（４）の上面には雨水貯留部（４ａ）に貯留した雨水（１４）を外部に給水するための給水管（９）を貫設し、該給水管（９）と庭（３）に設置した給水ポンプ（１０）とを接続したことを特徴とする、請求項１に記載の雨水調整貯留浸透装置を配備した戸建住宅団地。
【発明の詳細な説明】
【技術分野】
【０００１】  本発明は、主に戸建住宅の屋根の雨樋を通して集められた雨水を貯留して有効利用することができると共に貯留容量を超えた雨水を調整しつつ地中に浸透させることができる、雨水調整貯留浸透装置を配備した戸建住宅団地に関するものである。
【背景技術】
【０００２】  近年の宅地開発は、平地のみならず丘陵地や山間地に造成されることが多い。このような造成地において宅地等の周辺の土地環境は道路や駐車場等へと変貌し、地表はアスファルトやコンクリートで覆い尽くされている。このような環境下で大雨が降った場合、住宅の屋根の雨樋を通して集められた雨水は排水溝に流され、道路や駐車場等に降った雨水はアスファルトやコンクリートの表面より排水溝に流され、更には小河川から大河川へと流れていく。【０００３】  従来の造成地においては、アスファルトやコンクリートに覆われていない地表部分も多くあり宅地もそれほど密集していないため、雨水が地中に浸透しやすい環境にあったが、宅地開発が進むにつれ地表部分も少なくなり宅地も密集してくると、大雨が降った際の雨水は側溝や排水溝に大量に流されることになる。そして、単位時間当たりの雨量が急激に増加すると、最悪の場合には洪水を引き起こす結果となってしまう。【０００４】  このため、造成地においては雨水を一時的に蓄えるための調整池や雨水貯留装置の設置が義務づけられ、造成地の面積に応じた調整池や雨水貯留装置が当該造成地の一角に設置されている。また、近年では雨水の有効利用例えば庭の散水や水洗トイレ用水又は非常時の用水等として使用するため、小型化した雨水貯留装置を各戸建住宅の庭に設置することもある。
【特許文献１】特開平１１−７１７８９
【特許文献２】特開２０００−１７０２２０
【特許文献３】特開２００２−２７５９５１
【発明の開示】
【発明が解決しようとする課題】
【０００５】  しかしながら、上記造成地における調整池や雨水貯留装置は当該造成地に建築された複数の戸建住宅に対応させるため大規模なものが必要であり、広大な面積が必要であった。このため、調整池や雨水貯留装置を設置した部分の土地は有効利用できないといった問題点があった。また、調整池は通常は空の状態にしておくため景観が悪くなってしまうといった問題点があった。なお、雨水貯留装置を設置した土地を緑地公園にしたり駐車場として利用する方法もあるが、一般的に当該造成地の端部に設置することが多く利便性が悪いといった問題点もあった。【０００６】  また、小型化した雨水貯留装置を各戸建住宅の庭に設置する方法においては、広大な面積を必要とする調整池や雨水貯留装置を設置する土地が不要であり、その分住宅が多く建築できるため造成地の有効利用を図ることができるが、雨水を貯留するだけの機能しかなく地下に雨水を浸透させることができなかった。そのため、地下環境の悪化を招き、夏季において地下水の減少に伴う水資源の枯渇や蒸散効果が機能しないことに伴う地表温度の上昇及びヒートアイランド化といった問題点があった。【０００７】  本発明は、以上のような問題点を解決するために成されたものであり、造成地に建築された戸建住宅において、該戸建住宅の屋根の雨樋を通して集められた雨水を戸建住宅毎に貯留して有効利用することができると共に貯留容量を超えた雨水を調整しつつ地中に浸透させ地下環境を改善することができる、雨水調整貯留浸透装置を配備した戸建住宅団地を提供することを目的とする。
【課題を解決するための手段】
【０００８】  上記課題を解決するため、本発明の雨水調整貯留浸透装置を配備した戸建住宅団地においては、戸建住宅団地を構成する各戸建住宅の庭に、下部槽が雨水を貯留するための雨水貯留部であり、上部槽が雨水貯留部の貯留容量を越えて流入した雨水を調整しつつ浸透孔より地中に浸透させるための雨水浸透部とした、雨水調整貯留浸透装置を埋設する。また、雨水浸透部の上部側に戸建住宅の屋根の雨樋を通して集められた雨水を雨水貯留部に流入させるための流入管を貫設し、該流入管の下部側に雨水浸透部の一定容量を超えて流入した雨水を外部の側溝に流出するための流出管を貫設する。更に、雨水調整貯留浸透装置の上面には雨水貯留部に貯留した雨水を外部に給水するための給水管を貫設し、該給水管と庭に設置した給水ポンプとを接続する。
【発明の効果】
【０００９】  本発明の雨水調整貯留浸透装置を配備した戸建住宅団地をあらゆる造成地において開発すれば、戸建住宅団地を構成する各戸建住宅の屋根の雨樋を通して集められた雨水を戸建住宅毎に貯留することができるため、庭の散水や水洗トイレ用水又は非常時の用水等に有効利用することができるという効果を奏する。また、雨水調整貯留浸透装置内の貯留容量を超えた雨水を調整しつつ地中に浸透させることができるため、地下環境を自然循環に合わせて改善することができ、都市型洪水やヒートアイランド化の防止に役立つという効果を奏する。また、大規模な調整池や雨水貯留装置が不要であるため、造成地における土地の有効利用を図ることができるという絶大な効果を奏する。
【発明を実施するための最良の形態】
【００１０】  本発明を実施するための最良の形態を図を用いて説明する。図１は本発明の雨水調整貯留浸透装置を配備した戸建住宅団地を構成する戸建住宅における雨水調整貯留浸透装置の設置系統図である。【００１１】  該図に示すように、戸建住宅団地を構成する各戸建住宅１の庭３に、下部槽が雨水１４を貯留するための雨水貯留部４ａであり、上部槽が雨水貯留部４ａの貯留容量を越えて流入した雨水１４を調整しつつ浸透孔１５より地中に浸透させるための雨水浸透部４ｂとした雨水調整貯留浸透装置４を埋設する。該雨水調整貯留浸透装置４の雨水貯留部４ａの容量や雨水浸透部４ｂの容量は、戸建住宅団地を構成する各戸建住宅１の軒数や敷地面積及び道路等の占有面積により算出され、適正容量の雨水調整貯留浸透装置４が決められる。【００１２】  また、雨水浸透部４ｂの上部側に戸建住宅１の屋根の雨樋２を通して集められた雨水１４を雨水貯留部４ａに流入させるための流入管６を貫設し、該流入管６の下部側に雨水浸透部４ｂの一定容量を超えて流入した雨水１４を外部の側溝８に流出するための流出管７を貫設する。更に、雨水調整貯留浸透装置４の上面には雨水貯留部４ａに貯留した雨水１４を外部に給水するための給水管９を貫設し、該給水管９と庭３に設置した給水ポンプ１０と接続する。また、該雨水調整貯留浸透装置４の周辺部には浸透効果を高めるための砂利５を敷き詰める。なお、前記流入管６や流出管７及び給水管９の位置関係は図示する位置に限定するものではなく、実際の戸建住宅１の建築状態に応じて配置するものである。
【実施例１】
【００１３】  本発明の実施例を図を用いて説明する。まず、図１に示すように戸建住宅団地を構成する各戸建住宅１の庭３に、下部槽が雨水１４を貯留するための雨水貯留部４ａであり、上部槽が雨水貯留部４ａの貯留容量を越えて流入した雨水１４を調整しつつ浸透孔１５より地中に浸透させるための雨水浸透部４ｂとした雨水調整貯留浸透装置４を埋設する。また、雨水調整貯留浸透装置４の周辺部には雨水浸透部４ｂに多数穿孔された浸透孔１５の目詰まりを防ぐと共に浸透効果を高めるための砂利５を敷き詰める。なお、雨水浸透部４ｂの上面部にも浸透孔１５を穿孔すると共に砂利５を敷き詰めておけば、庭３に降った雨水１４を当該雨水浸透部４ｂの上面部の浸透孔１５より雨水調整貯留浸透装置４内に浸透及び貯留させることができる。【００１４】  図２は雨水を貯留している状態を示す雨水調整貯留浸透装置の断面図であり、戸建住宅１の屋根の雨樋２を通して集められた雨水１４は、雨水調整貯留浸透装置４の雨水浸透部４ｂの上側において貫設された流入管６内を流入して雨水貯留部４ａに放出される。該雨水１４は、雨水調整貯留浸透装置４の雨水貯留部４ａの上端部まで地中に浸透することなく貯留することができる。【００１５】  また、雨水調整貯留浸透装置４の上面には雨水貯留部４ａに貯留した雨水１４を外部に給水して有効利用例えば庭３の散水や水洗トイレ１２用水又は非常時の用水等として使用するための給水管９を貫設し、庭３に設置した給水ポンプ１０と接続する。該給水ポンプ１０は電動ポンプが好適であり、蛇口１３を開いて庭３の散水に利用したり配水管１１を経由して水洗トイレ１２用水として利用することができる。なお、電動ポンプに代えて手押しポンプを設置したり電動ポンプと併用して手押しポンプを設置すれば、電源が使えない非常時の用水として利用することができる。【００１６】  次に、図３は雨水が浸透している状態を示す雨水調整貯留浸透装置の断面図であり、大雨が降った場合において雨水調整貯留浸透装置４の雨水貯留部４ａの貯留容量を超えて雨水浸透部４ｂまで雨水１４の量が増えた場合、雨水１４は雨水浸透部４ｂの側面に穿孔された多数の浸透孔１５より浸透水１６として砂利５を経由して地中に浸透することになる。【００１７】  更に雨水１４の量が増え、給水管９の下側に貫設された流出管７の高さを超えると、雨水１４は当該流出管７内を流出し排水１７として外部の側溝８に放出されることになる。該雨水浸透部４ｂは通常時は空の状態であり、大雨が降った場合において雨水貯留部４ａより増加した分の雨水１４を浸透させながら貯留することができるため、雨水調整機能を果たすことになる。【００１８】  なお、上記説明における雨水調整貯留浸透装置４はコンクリート製として図示しているが、特に材質を限定するものではない。更に構造も図示したものに指定するものではなく、雨水貯留部４ａと雨水浸透部４ｂで構成される雨水調整貯留浸透装置４であれば如何なる材質や構造であっても構わない。【００１９】  以上のようにして、各戸建住宅１の庭３に設置した雨水調整貯留浸透装置４により当該戸建住宅１の敷地面積分の雨水調整が行われることになる。【００２０】  また、図４は本発明の雨水調整貯留浸透装��を配備した戸建住宅団地の一実施例における配置系統図である。戸建住宅団地１８に大雨が降った場合、該戸建住宅団地１８を構成する各戸建住宅１の庭３に設置された雨水調整貯留浸透装置４から流出した雨水１４は矢印ａに示すように道路２３の側溝８に流される。該道路２３のアスファルトや側溝８が雨水１４の浸透性を有しており外部に調整池又は雨水貯留装置が不要となる場合は、雨水１４はそのまま側溝８より河川２４に流出する。【００２１】  しかし、道路２３のアスファルトや側溝８が雨水１４の浸透性を有しておらず外部に調整池又は雨水貯留装置が必要となる場合は、側溝８の終端部に比較的小型の調整池又は雨水貯留装置２０を設置する。この場合、該調整池又は雨水貯留装置２０に戸建住宅団地１８内の道路２３に降った雨水１４の貯留及び各戸建住宅１に設置した雨水調整貯留浸透装置４から流出した雨水１４を流入させるための流入管２１を貫設し、更には貯留容量を超えて流入した雨水１４を外部の河川２４に流出するための流出管２２を貫設する。該調整池又は雨水貯留装置２０の貯留容量は、戸建住宅団地１８全体の敷地面積に対応するものではなく戸建住宅団地１８内の道路２３に降った雨水１４及び各戸建住宅１に設置した雨水調整貯留浸透装置４から流出した雨水１４に対応したものであるため、比較的小型のものとなる。そして、側溝８から流出された雨水１４は矢印ｂに示すように流入管２１より雨水調整貯留浸透装置４内に貯留され、貯留容量を超えて流入した雨水１４を矢印ｃに示すように流出管２２より外部の河川２４に流出する。なお、該調整池又は雨水貯留装置２０を設置した土地を緑地公園１９等に利用すれば土地の有効利用を図ることができる。
【図面の簡単な説明】
【００２２】
【図１】本発明の雨水調整貯留浸透装置を配備した戸建住宅団地を構成する戸建住宅における雨水調整貯留浸透装置の設置系統図である。
【図２】雨水を貯留している状態を示す雨水調整貯留浸透装置の断面図である。
【図３】雨水が浸透している状態を示す雨水調整貯留浸透装置の断面図である。
【図４】本発明の雨水調整貯留浸透装置を配備した戸建住宅団地の一実施例における配置系統図である。
【符号の説明】
【００２３】１  戸建住宅
２  雨樋
３  庭
４  雨水調整貯留浸透装置
５  砂利
６  流入管
７  流出管
８  側溝
９  給水管
１０  給水ポンプ
１１  配水管
１２  水洗トイレ
１３  蛇口
１４  雨水
１５  浸透孔
１６  浸透水
１７  排水
１８  戸建住宅団地
１９  緑地公園
２０  調整池又は雨水貯留装置
２１  流入管
２２  流出管
２３  道路
２４  河川
【図１】
2005105790.tif 000003
【図２】
2005105790.tif 000004
【図３】
2005105790.tif 000005
【図４】
2005105790.tif 000006